(57)【要約】【課題】画面表示させるまでの時間が短く、かつ、表示制御の設定がし易い、通信システムを提供する。【解決手段】各々が表示部１３ａ，１３ｂを有する複数の端末１２ａ，１２ｂと、ネットワーク１１と、前記ネットワーク１を介して前記端末１２ａ，１２ｂと通信可能なサーバ２とを備え、前記サーバに設けられた入力部９にＩＤが入力されると、前記ＩＤを有する前記端末１２ａ，１２ｂと前記サーバ２が通信を開始し、前記入力部９にて特定のメニューが選択されると、前記端末１２ａ，１２ｂは自己の表示部１３ａ，１３ｂにおいて、選択された前記メニューに従う表示制御を行う。【選択図】図１
2005190408.tif 000002
【特許請求の範囲】
【請求項１】
各々が表示部を有する複数の端末と、ネットワークと、前記ネットワークを介して前記端末と通信可能なサーバとを備え、前記サーバに設けられた入力部にＩＤが入力されると、前記ＩＤを有する前記端末と前記サーバが通信を開始し、前記入力部にて特定のメニューが選択されると、前記端末は自己の表示部において、選択された前記メニューに従う表示制御を行う事を特徴とする通信システム。
【請求項２】
前記入力部にて、シャットダウン又はリブート又はログオフのメニューが選択されると、前記端末は前記表示部において、各々、シャットダウン又はリブート又はログオフを行わせる事を特徴とする請求項１の通信システム。
【請求項３】
前記入力部にて、輝度値又はバックライトの有り、無しのメニューが選択されると、前記端末は前記表示部において、各々、前記輝度値に従う設定を行い、又は、前記バックライトをオン又はオフする事を特徴とする請求項１の通信システム。
【請求項４】
前記入力部にて、フラッシュアップのメニューが選択されると、前記サーバは前記端末に対し、更新データを送信し、前記端末は自己の記憶部に対し、前記更新データを記憶させ、前記端末が再起動されると、前記端末は前記更新データを実行する事を特徴とする請求項１の通信システム。
【請求項５】
前記入力部にて、特定のコンテンツ又は特定のＤＶＤデータのメニューが選択されると、前記端末は自己の記憶部からデータを読み出し、前記表示部において、前記特定のコンテンツに従う表示を行わせ、又は前記記憶部に記憶された前記特定ＤＶＤデータに従う表示を行わせる事を特徴とする請求項１の通信システム。
【請求項６】
前記入力部にて、クローズ又はエグジットのメニューが選択されると、各々、前記サーバは通信中の前記端末との接続のみを終了し、又は、前記サーバは前記端末との接続を終了し、かつ、サーバ側プログラムも終了する事を特徴とする請求項１の通信システム。
【請求項７】
前記入力部にて、温度のメニューが選択されると、前記サーバは、前記端末のＣＰＵの温度及び／又は前記端末の回路基板の温度を取得し、前記サーバの表示体に表示させる事を特徴とする請求項１の通信システム。
【請求項８】
各々が表示部を有する複数の端末と、ネットワークと、前記ネットワークを介して前記端末と通信可能なサーバとを備え、前記サーバに設けられた入力部にて起動のメニューが選択されると、前記サーバに設けられた表示体にマックアドレスが表示され、前記入力部にて、特定のマックアドレスが入力されると、前記特定のマックアドレスを有する前記端末が起動する事を特徴とする通信システム。
【発明の詳細な説明】
【技術分野】
【０００１】
本発明は通信システムに関する。
【背景技術】
【０００２】
従来、この種の装置は、例えば特許文献１に示されている。この特許文献１の図１によると、各々が表示部を有する複数の端末１０８と、ネットワーク１０６と、ネットワーク１０６に接続されたサーバ１０４とを備える通信システム１００が示されている。
【特許文献１】特表２０００−５１７０８８号公報
【発明の開示】
【発明が解決しようとする課題】
【０００３】
上記システムでは、１台のサーバ１０４が複数の端末１０８に対して、ディスクイメージを各々、ダウンロードさせるので、端末１０８において、実際の画面表示させるまでに、長時間を要する、第１の欠点がある。また、上記システムは各端末１０８の表示制御につき、各端末１０８毎に行う様に構成されている。そのため、例えば、各端末１０８が高い位置に設定されている場合、使用者（又は作業者）が表示制御又は調整するのが困難となる、第２の欠点がある。
【０００４】
そこで、本発明はこの様な従来の欠点を考慮して、画面表示させるまでの時間が短く、かつ、表示制御の設定がし易いシステムを提供する
【課題を解決するための手段】
【０００５】
上記課題を解決するために、請求項１の本発明では、各々が表示部を有する複数の端末と、ネットワークと、前記ネットワークを介して前記端末と通信可能なサーバとを備え、前記サーバに設けられた入力部にＩＤが入力されると、前記ＩＤを有する前記端末と前記サーバが通信を開始し、前記入力部にて特定のメニューが選択されると、前記端末は自己の表示部において、選択された前記メニューに従う表示制御を行う。
【０００６】
請求項２の本発明では、前記入力部にて、シャットダウン又はリブート又はログオフのメニューが選択されると、前記端末は前記表示部において、各々、シャットダウン又はリブート又はログオフを行わせる。
【０００７】
請求項３の本発明では、前記入力部にて、輝度値又はバックライトの有り、無しのメニューが選択されると、前記端末は前記表示部において、各々、前記輝度値に従う設定を行い、又は、前記バックライトをオン又はオフする。
【０００８】
請求項４の本発明では、前記入力部にて、フラッシュアップのメニューが選択されると、前記サーバは前記端末に対し、更新データを送信し、前記端末は自己の記憶部に対し、前記更新データを記憶させ、前記端末が再起動されると、前記端末は前記更新データを実行する。
【０００９】
請求項５の本発明では、前記入力部にて、特定のコンテンツ又は特定のＤＶＤデータのメニューが選択されると、前記端末は自己の記憶部からデータを読み出し、前記表示部において、前記特定のコンテンツに従う表示を行わせ、又は前記記憶部に記憶された前記特定ＤＶＤデータに従う表示を行わせる。
【００１０】
請求項６の本発明では、前記入力部にて、クローズ又はエグジットのメニューが選択されると、各々、前記サーバは通信中の前記端末との接続のみを終了し、又は、前記サーバは前記端末との接続を終了し、かつ、サーバ側プログラムも終了する。
【００１１】
請求項７の本発明では、前記入力部にて、温度のメニューが選択されると、前記サーバは、前記端末のＣＰＵの温度及び／又は前記端末の回路基板の温度を取得し、前記サーバの表示体に表示させる。
【００１２】
請求項８の本発明では、各々が表示部を有する複数の端末と、ネットワークと、前記ネットワークを介して前記端末と通信可能なサーバとを備え、前記サーバに設けられた入力部にて起動のメニューが選択されると、前記サーバに設けられた表示体にマックアドレスが表示され、前記入力部にて、特定のマックアドレスが入力されると、前記特定のマックアドレスを有する前記端末が起動する。
【発明の効果】
【００１３】
請求項１の本発明では、各々が表示部を有する複数の端末と、ネットワークと、ネットワークを介して端末と通信可能なサーバとを備え、サーバに設けられた入力部にＩＤが入力されると、ＩＤを有する端末とサーバが通信を開始し、入力部にて特定のメニューが選択されると、端末は自己の表示部において、選択されたメニューに従う表示制御を行う。この様に構成する事により、複数の端末が例えば高い場所に設定されていても、１つのサーバにより、各々の端末の表示制御ができるので、表示制御の設定がし易くなる。
【００１４】
請求項２の本発明では、入力部にて、シャットダウン又はリブート又はログオフのメニューが選択されると、端末は表示部において、各々、シャットダウン又はリブート又はログオフを行わせる。この様に、サーバの入力部にて所定のメニューを選択する事により、各端末のシャットダウン又はリブート又はログオフのモード設定がし易くなる。
【００１５】
請求項３の本発明では、入力部にて、輝度値又はバックライトの有り、無しのメニューが選択されると、端末末は表示部において、各々、輝度値に従う設定を行い、又は、バックライトをオン又はオフする。この様に、サーバの入力部にて所定のメニューを選択する事により、各端末の輝度調整が容易となり、又は、バックライト有り、又は無しの設定を容易に行える。また、バックライト有り、又は無しを設定する事により、バックライトが全部正常か、又は、バックライトの不良個所を容易に知ることができる。
【００１６】
請求項４の本発明では、入力部にて、フラッシュアップのメニューが選択されると、サーバは端末に対し、更新データを送信し、端末は自己の記憶部に対し、更新データを記憶させ、端末が再起動されると、端末は更新データを実行する。上記構成により、各端末に記憶すべきデータを容易に更新できる。
【００１７】
請求項５の本発明では、入力部にて、特定のコンテンツ又は特定のＤＶＤデータのメニューが選択されると、端末は自己の記憶部からデータを読み出し、表示部において、特定のコンテンツに従う表示を行わせ、又は記憶部に記憶された特定ＤＶＤデータに従う表示を行わせる。この様に、各端末は特定のＤＶＤデータを予め記憶しているので、従来の様に、サーバが各端末に対し、データをダウンロードする必要がない。従って、本発明の各端末は、実際の画面表示させるまでの時間が短くて済む。また、使用者は作業のし易いサーバにおいて、各端末における特定のＤＶＤデータを選択できるので、選択作業が容易となる。
【００１８】
請求項６の本発明では、入力部にて、クローズ又はエグジットのメニューが選択されると、各々、サーバは通信中の端末との接続のみを終了し、又は、サーバは端末との接続を終了し、かつ、サーバ側プログラムも終了する。この様に、サーバ側で、特定の端末とサーバとの接続を終了できる。故に、続けて、「コネクト」のメニューを選択する事により他の端末との接続が容易にできる。また、サーバ側で、エグジットのメニューを選択する事により、サーバのプログラムも終了するので、省電力となる。
【００１９】
請求項７の本発明では、入力部にて、温度のメニューが選択されると、サーバは、端末のＣＰＵの温度及び／又は端末の回路基板の温度を取得し、サーバの表示体に表示させる。上記構成により、使用者はサーバの表示体により、端末のＣＰＵ温度及び／又は回路基板の温度を知ることができる。その結果、使用者は、端末が正常動作か異常動作かを正確に知ることができる。
【００２０】
請求項８の本発明では、各々が表示部を有する複数の端末と、ネットワークと、ネットワークを介して端末と通信可能なサーバとを備え、サーバに設けられた入力部にて起動のメニューが選択されると、サーバに設けられた表示体にマックアドレスが表示され、入力部にて、特定のマックアドレスが入力されると、特定のマックアドレスを有する端末が起動する。上記構成により、サーバ側により、各端末を起動できるので、必要ない端末に対して、電源供給を停止する事により、省電力となる。また、サーバにより、各端末を起動（電源供給を開始すること）するので、使い勝手が向上する。
【発明を実施するための最良の形態】
【００２１】
以下に、図１のブロック図に従い、本発明を実施するための最良の形態に係る通信システム１を説明する。図１に示したサーバ２において、表示体３と、ＣＰＵ４と、ＨＤＤ５と、ＲＯＭ６と、ＲＡＭ７と、通信制御部８と、入力部９は各々、バス１０に接続されている。
【００２２】
表示体３は例えば、液晶表示部からなる。ＣＰＵ４は、上記各部品を制御するものである。ＨＤＤはハードディスクドライバであり、単数又は複数のコンテンツ（例えば、広告の内容を示すもの）等が記憶されている。
【００２３】
ＲＯＭ６は、ＣＰＵ４の制御プログラムが記憶されている。ＲＡＭ７は、このサーバ２の動作に必要なデータが記憶されている。通信制御部８は、このサーバ２とネットワーク１１との間でデータ等を授受させるものである。
【００２４】
入力部９は例えば、キーボードとマウス等である。上記部品３，４，５，６，７，８，９，１０等により、サーバ２は構成されている。サーバ２はネットワーク１１に接続されている。
【００２５】
図１に示した端末１２ａにおいて、表示部１３ａと、ＣＰＵ１４ａと、ＨＤＤ１５ａとＲＯＭ１６ａと、ＲＡＭ１７ａと、通信制御部１８ａは各々、バス１９ａに接続されている。
【００２６】
表示部１３ａは例えば、液晶表示部からなる。ＣＰＵ１４ａは、上記各部品を制御するものである。ＨＤＤ１５ａはハードディスクドライバであり、単数又は複数のコンテンツ（例えば、広告の内容を示すもの）と、単数又は複数のＤＶＤデータ等が記憶されている。
【００２７】
ＲＯＭ１６ａは、ＣＰＵ１４ａの制御プログラムが記憶されている。ＲＡＭ１７ａは、この端末１２ａの動作に必要なデータが記憶されている。通信制御１８ａは、この端末１２ａとネットワーク１１との間でデータ等を授受させるものである。
【００２８】
上記部品１３ａ，１４ａ，１５ａ，１６ａ，１７ａ，１８ａ，１９ａ等により、端末１２ａは構成されている。端末１２ａは、ネットワーク１１に接続されており、表示部１３ａを有する。
【００２９】
図１に示した端末１２ｂにおいて、表示部１３ｂと、ＣＰＵ１４ｂと、ＨＤＤ１５ｂと、ＲＯＭ１６ｂと、ＲＡＭ１７ｂと、通信制御部１８ｂは各々、バス１９ｂに接続されている。
【００３０】
表示部１３ｂは例えば、液晶表示部からなる。ＣＰＵ１４ｂは、上記各部品を制御するものである。ＨＤＤ１５ｂはハードディスクドライバであり、単数又は複数のコンテンツ（例えば、広告の内容を示すもの）と、単数又は複数のＤＶＤデータ等が記憶されている。
【００３１】
ＲＯＭ１６ｂは、ＣＰＵ１４ｂの制御プログラムが記憶されている。ＲＡＭ１７ｂは、この端末１２ｂの動作に必要なデータが記憶されている。通信制御１８ｂは、この端末１２ｂとネットワーク１１との間でデータ等を授受させるものである。
【００３２】
上記部品１３ｂ，１４ｂ，１５ｂ，１６ｂ，１７ｂ，１８ｂ，１９ｂ等により、端末１２ｂは構成されている。端末１２ｂは、ネットワーク１１に接続されており、表示部１３ｂを有する。
【００３３】
上記説明では、端末１２ａ，１２ｂの２個を例示したが、本発明は、３個以上の端末（構成は端末１２ａと同じ）を設けても良い。この様に、各々が表示部１３ａ，１３ｂを有する複数の端末１２ａ，１２ｂと、ネットワーク１１（例えば、ＬＡＮ）と、端末１２ａ，１２ｂと通信可能なサーバ２が設けられている。
【００３４】
なお、上記端末１２ａ，１２ｂでは、入力部を設けていない。しかし、上記端末１２ａ，１２ｂにおいて、入力用のコネクタを設け、外部入力部（図示していないが、マウスやキーボードのこと）と、コネクタを接続させても良い。以上の部品により、この通信システム１は構成されている。
【００３５】
次に、図１ないし図５に従い、この通信システム１の動作を説明する。図２は本通信システム１の端末１２ａにおけるフローチャートである。図３は本通信システム１のサーバ２におけるフローチャートである。図４は、本通信システム１におけるシーケンス図である。図５は、本通信システム１におけるメニューの１例である。
【００３６】
これらの図において、最初に、端末１２ａの制御プログラムが起動し、ＣＰＵ１４ａの制御動作が開始する。また、サーバ２の制御プログラムが起動し、ＣＰＵ４の制御動作が開始する。
【００３７】
そして、端末１２ａのＣＰＵ１４ａは、ＣＳｏｃｋｅｔオブジェクトを構築する（図２のＳ１と図４のＳ１を参照）。同様に、サーバ２のＣＰＵ４はＣＳｏｃｋｅｔオブジェクトを構築する（図３のＴ１と図４のＴ１を参照）。
【００３８】
次に、端末１２ａのＣＰＵ１４ａは、ソケットの作成を行う（図２のＳ２と図４のＳ２を参照）。同様に、サーバ２のＣＰＵ４はソケットの作成を行う（図３のＴ２と図４のＴ２を参照）。
【００３９】
そして、端末１２ａのＣＰＵ１４ａは、サーバ２からの接続要求を待機する（図２のＳ３と図４のＳ３を参照）。
【００４０】
次に使用者は、サーバ２の入力部９において「コネクト」（図５のｉを参照）のメニューを選択したとする。即ち、使用者はサーバ２の表示体３に表示された項目の中で「コネクト」をアクティブにし、マウスをクリックする。そして使用者は、サーバ２の入力部９において、例えば、端末１２ａのＩＤ（例えば、ＩＰアドレス）を入力したとする。その結果、サーバ２のＣＰＵ４は、端末１２ａとの接続動作を行う（図３のＴ３と図４のＴ３を参照）。
【００４１】
そして、端末１２ａのＣＰＵ１４ａは、新しい空のソケットを作成し、サーバ２との接続の受け入れを行う（図２のＳ４と図４のＳ４を参照）。この様に、サーバ２に設けられた入力部９にＩＤが入力されると、前記ＩＤを有する端末１２ａとサーバ２が通信を開始する。
【００４２】
次に第１例として、サーバ２の入力部９において、特定のメニューを選択したとする。例えば、使用者は入力部９において、「シャットダウン」のメニュー（図５のｂを参照）を選択したとする。この様にして、サーバ２のＣＰＵ４は、メニュー選択を行う（図３のＴ４を参照）。そして、ＣＰＵ４は上記メニューが「エグジットか否か」を判定する（図３のＴ５を参照）。
【００４３】
次に、サーバ２のＣＰＵ４は、「メニューがシャットダウン」である旨のデータを、端末１２ａに対し送信する（図３のＴ６と図４のＴ６を参照）。そして、端末１２ａのＣＰＵ１４ａは、「メニューがシャットダウン」である旨のデータを受信する（図２のＳ５と図４のＳ５を参照）。
【００４４】
そして、端末１２ａのＣＰＵ１４ａは、メニューがシャットダウンか否かを判定する（図２のＳ６を参照）。上記例では、シャットダウンのメニューであるので、ＣＰＵ１４ａはＳ６の判定を肯定する。
【００４５】
次に、ＣＰＵ１４ａは、コンテンツの表示データを削除し（図２のＳ７を参照）、シャットダウンを実行し、表示部１３ａに対し、シャットダウンの表示制御する（図２のＳ８を参照）。
【００４６】
次に第２例として、使用者は、サーバ２の入力部９において「リブート」のメニュー（図５のａを参照）を選択したとする（図３のＴ４を参照）。この時、メニューがエグジットか否かの判定を否定する（図３のＴ５を参照）。
【００４７】
そして、サーバ２のＣＰＵ４は「メニューがリブート」である旨のデータを、端末１２ａに対し送信する（図３のＴ６と図４のＴ６を参照）。
【００４８】
次に、端末１２ａのＣＰＵ１４ａは「メニューがリブート」である旨のデータを受信する（図２のＳ５と図４のＳ５を参照）。そして、ＣＰＵ１４ａは、メニューがシャットダウンか否かの判定を否定する（図２のＳ６を参照）。
【００４９】
そしてＣＰＵ１４ａは、メニューがクローズか否かの判定を否定する（図２のＳ９を参照）。次に、ＣＰＵ１４ａはコマンド処理する（図２のＳ１０を参照）。即ち、ＣＰＵ１４ａはリブートに設定し、再起動する。
【００５０】
次に、ＣＰＵ１４ａは、サーバ２のＣＰＵ４に対し、「リブートの設定した」旨のデータを送信する（図２のＳ１１と図４のＳ１１を参照）。そして、サーバ２のＣＰＵ４は「リブートに設定した」旨のデータを受信する（図３のＴ７と図４のＴ７を参照）。
【００５１】
そして、サーバ２のＣＰＵ４は自己の表示体３に対して、「リブートに設定した」旨の応答表示を行わせる（図３のＴ８を参照）。次に、ＣＰＵ４、はステップＴ４の直前に戻る。また、この時、端末１２ａのＣＰＵ１４ａはステップＳ５の直前に戻る。
【００５２】
この様にして、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａはリブート状態を続ける。
【００５３】
次に、第３例として、使用者はサーバ２の入力部９において、「ログオフ」のメニュー（図５のｃを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａはログオフ状態を続ける。
【００５４】
上記動作をまとめる。サーバ２の入力部９にて、シャットダウン又はリブート又はログオフの各メニューが選択されると、端末１２ａは表示部１３ａにおいて、各々、シャットダウン又はリブート又はログオフを行わせる。
【００５５】
即ち、サーバ２の入力部９にて、特定のメニューが選択されると、端末１２ａは自己の表示部１３ａにおいて、選択されたメニューに従う表示制御を行う。
【００５６】
次に、第４例として、使用者はサーバ２の入力部９において、「輝度値」のメニュー（図５のｆを参照）を選択したものとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａは輝度値の設定状態を続ける。
【００５７】
例えば、輝度値が１（暗い），２，３，４，５，６，７，８，９，１０（明るい）の１０段階があるものとする。図３のＴ４において、使用者により、輝度値７が選択された場合、図３のＳ１０において、端末１２ａのＣＰＵ１４ａは、表示部１３ａに対して、輝度値７にて表示制御する。
【００５８】
次に、第５例として、使用者はサーバ２の入力部９において、「バックライト有り」のメニュー（図５のｇを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａはバックライトのオン状態を続ける。
【００５９】
次に、第６例として、使用者はサーバ２の入力部９において、「バックライト無し」のメニュー（図５のｈを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａはバックライトのオフ状態を続ける。
【００６０】
上記動作をまとめる。サーバ２の入力部９にて、輝度値または、バックライト有り又は無しが選択されると、端末１２ａは表示部１３ａにおいて、各々、輝度値に従う設定を行い、または、バックライトをオン又はオフする。
【００６１】
次に、第７例として、使用者はサーバ２の入力部９において、「フラッシュアップ」のメニュー（図５のｊ，ｋを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａはフラッシュアップ状態を続ける。
【００６２】
即ち、サーバ２の入力部９にて、フラッシュアップのメニューが選択されると、サーバ２は端末１２ａに対し、更新データを更新し、端末１２ａは自己の記憶部１５ａに対して更新データ（更新したアプリケーションプログラム等）を記憶させる。そして、端末１２ａが再起動された時に、端末１２ａは上記更新データを実行する。
【００６３】
次に、第８例として、使用者はサーバ２の入力部９において、「コンテンツ」のメニュー（図５に示さず）を選択し、次に、特定のコンテンツを選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａは特定のコンテンツの表示を続ける。
【００６４】
次に、第９例として、使用者はサーバ２の入力部９において、「ＤＶＤ」のメニュー（図５に示さず）を選択し、次に、特定のＤＶＤデータを選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａは特定のＤＶＤ表示を続ける。
【００６５】
上記動作をまとめる。サーバ２の入力部９にて、特定のコンテンツ又は特定のＤＶＤデータが選択されると、端末１２ａは自己の記憶部１５ａからデータを読み出す。そして、端末１２ａは、前記特定のコンテンツに従う表示を行わせ、または、記憶部１５ａに記憶された前記特定のＤＶＤデータに従う表示を行わせる。
【００６６】
次に、第１０例として、使用者はサーバ２の入力部９において、「温度」のメニュー（図５のｄ，ｅを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５，Ｓ６，Ｓ９，Ｓ１０，Ｓ１１の動作を繰り返す。この様に、端末１２ａは温度表示状態を続ける。
【００６７】
上記動作の特徴をまとめる。サーバ２の入力部９にて、「温度」のメニューが選択されると、サーバ２は端末１２ａのＣＰＵ温度及び／又は端末１２ａの回路基板の温度を取得する。そしてサーバ２の表示体３において、上記ＣＰＵ温度及び／又は回路基板の温度が表示される。
【００６８】
次に、第１１例として、使用者はサーバ２の入力部９において、「クローズ」のメニュー（図５のｍを参照）を選択したとする。この時、サーバ２のＣＰＵ４は、上記ステップＴ４，Ｔ５，Ｔ６，Ｔ７，Ｔ８の動作を繰り返す。また、端末１２ａのＣＰＵ１４ａは、上記ステップＳ５とＳ６の動作を行った後、メニューがクローズか否かの判定を肯定する（図２のＳ９を参照）。
【００６９】
次に、ＣＰＵ１４ａは、端末１２ａとサーバ２との接続を終了する（図２のＳ１２を参照）。その後、ＣＰＵ１４ａは、図２のステップＳ３とＳ４とＳ５とＳ６とＳ９とＳ１２の動作を繰り返す。
【００７０】
次に、第１２例として、使用者はサーバ２の入力部９において、「エグジット」のメニュー（図５に示さず）を選択したとする。この時、サーバ２のＣＰＵ４は、上記ステップＴ４を行う。
【００７１】
そして、ＣＰＵ４は、メニューがエグジットか否かの判定を肯定する（図３のＴ５を参照）。そして、ＣＰＵ４は、サーバ２側のプログラムを終了する（図３のＴ９を参照）。
【００７２】
前記動作の特徴をまとめる。サーバ２の入力部９にて、「クローズ」のメニューが選択されると、各々、サーバ２は通信中の端末１２ａのみを終了する。また、サーバ２の入力部９にて、「エグジット」のメニューが選択されると、サーバ２は端末１２ａとの接続を終了し、かつ、サーバ２のプログラムも終了する。
【００７３】
次に、第１３例として、使用者はサーバ２の入力部９において、「マックアドレス」のメニュー（図３のｌを参照）を選択したとする。この時、使用者は、サーバ２の入力部９において、例えば、複数のマックアドレスと、その各アドレスに対応する端末のＮＯを入力する。そして使用者は、サーバ２の記憶部５において、上記マックアドレス等を記憶させる。
【００７４】
そして、使用者は例えば、端末１２ａの電源を切ったとする。その後、使用者は端末１２ａを再起動したい場合には、サーバ２の入力部９において、「起動」のメニュー（図５に示さず）を選択したとする。
【００７５】
次に、サーバ２の表示体３において、複数のマックアドレスと、その各アドレスに対応する端末のＮＯを示す表が表示される。使用者は、端末１２ａに相当するＮＯ１に対応するマックアドレスの表示部分を選択し、マウスにてクリック（実行）する。
【００７６】
その結果、上記マックアドレスを有する端末１２ａに電源が供給され、端末１２ａは起動する。その後、使用者は、サーバ２の入力部９にて「コネクト」のメニューを選択すると（図３のＴ３を参照）、端末１２ａとサーバ２は、通信が開始される。
【００７７】
上記動作の特徴をまとめる。サーバ２に設けれた入力部９にて「起動」のメニューが選択されると、サーバ２に設けられた表示体３にて、マックアドレスが表示される。その後に、入力部９にて、特定のマックアドレスが入力されると、前記特定のマックアドレスを有する端末１２ａが起動する。
【図面の簡単な説明】
【００７８】
【図１】本発明を実施するための最良の形態に係る通信システム１のブロック図である。
【図２】上記通信システム１の端末１２ａにおけるフローチャートである。
【図３】上記通信システム１のサーバ２におけるフローチャートである。
【図４】上記通信システム１のシーケンス図である。
【図５】上記通信システム１に用いられるメニューの１例を示す図面である。
【符号の説明】
【００７９】
２  サーバ
９  入力部
１１  ネットワーク
１２ａ，１２ｂ  端末
１３ａ，１３ｂ  表示部
【図１】
2005190408.tif 000003
【図２】
2005190408.tif 000004
【図３】
2005190408.tif 000005
【図４】
2005190408.tif 000006
【図５】
2005190408.tif 000007